(57)【要約】【課題】電池ボックスが不要となり、構造が簡単で、コストダウンを図ることができると共に、小型軽量で携帯に便利な携帯電話用電源機器を提供する。【解決手段】携帯電話の端子に接続される接続端子１４を有する機器本体１１と、機器本体１１に設けられ円筒型乾電池１６の一端部が独立して装着され、該円筒型乾電池１６の端面の一方の電極と導通状態に接続される第１の接触端子２２を有した乾電池装着部１７と、乾電池装着部１７に設けられ、円筒型乾電池１６の外周面の絶縁膜２０に接触した状態で該円筒型乾電池１６を保持し、その外周面との摺擦によって絶縁膜２０を剥離して円筒型乾電池１６の他方の電極と導通状態に接続される第２の接触端子２９を有した乾電池保持部材２３とを具備したことにある。【選択図】図１
2007227015.tif 000002
【特許請求の範囲】
【請求項１】
携帯電話の端子に接続される携帯電話用電源機器において、
携帯電話の端子に接続される接続端子を有する機器本体と、
前記機器本体に設けられ１本もしくは複数本の円筒型乾電池の一端部が独立して装着され、該円筒型乾電池の端面の一方の電極と導通状態に接続される第１の接触端子を有した乾電池装着部と、
前記乾電池装着部に設けられ、前記円筒型乾電池の外周面の絶縁膜に接触した状態で該円筒型乾電池を保持し、その外周面との摺擦によって前記絶縁膜を剥離して前記円筒型乾電池の他方の電極と導通状態に接続される第２の接触端子を有した乾電池保持部材と、
を具備したことを特徴とする携帯電話用電源機器。
【請求項２】
前記乾電池装着部は、その内底部に第１の接触端子を有し、前記円筒型乾電池の端部が挿入されたとき、該円筒型乾電池の端面の陰極電極と導通状態に接続されることを特徴とする請求項１記載の携帯電話用電源機器。
【請求項３】
前記乾電池保持部材は、前記円筒型乾電池の外周面をその外周部から把持する複数の把持片からなり、これら把持片の少なくとも一つの内面には前記円筒型乾電池の外周面の絶縁膜を剥離して陽極電極と導通状態に接続される歯付きの第２の接触端子が設けられていることを特徴とする請求項１記載の携帯電話用電源機器。
【請求項４】
前記乾電池保持部材は、前記複数の把持片の先端側が拡開する方向に付勢されて前記円筒型乾電池の挿入ガイドを形成するテーパ筒部を有すると共に、このテーパ筒部に嵌合される締付けリングを有し、前記円筒型乾電池の挿入後は、締付けリングによって前記複数の把持片を付勢力に抗して狭窄することにより、前記円筒型乾電池を把持できることを特徴とする請求項１記載の携帯電話用電源機器。
【発明の詳細な説明】
【技術分野】
【０００１】
本発明は、携帯電話に内蔵された電池が消耗して通信・通話不能になった際に、携帯電話の端子に接続することにより通信・通話できる携帯電話用電源機器に関する。
【背景技術】
【０００２】
携帯電話に内蔵された電池は充電可能であるが、電池が消耗していても充電を忘れたり、長時間の通信・通話によって使用中に電池が消耗して通信・通話不能になって不便を感じることがある。このような場合に携帯電話の端子に接続することにより通信・通話できる外部電源としての携帯電話用電源機器が市販されている。
【０００３】
従来の携帯電話用電源機器は、機器本体に携帯電話の端子に接続される接続端子を有すると共に内部にＤＣ−ＤＣ昇圧回路が設けられている。また、機器本体には市販の単３や単４の円筒型乾電池を複数本収納する電池ボックスが設けられ、電池ボックスには円筒型乾電池の一端部の陰極電極と接触する接触端子と、円筒型乾電池の他端部の陽極電極と接触する接触端子が設けられている。そして、電池ボックスに円筒型乾電池を装着することにより、両電極が接触端子と接触してＤＣ−ＤＣ昇圧回路を介して接続端子に電気的に導通されるようになっている。
しかし、電池ボックスに設けられる接触端子は、円筒型乾電池の両電極と確実に接触させるためにばね性を持たせる必要があり、ばねの撓み分を考慮して所定のスペースを設ける必要があり、機器本体が大型となると共に、構造的に複雑となる。
そこで、前述のような問題を解決するために、円筒型乾電池の外周面の絶縁層を剥離し、陽極電極としての円筒部を露出し、露出した円筒部に電極端子を接触させ、電池室のスペースを軽減させた乾電池ボックスが知られている（例えば、特許文献１参照。）。
【特許文献１】特開平７−２２０１５号公報
【発明の開示】
【発明が解決しようとする課題】
【０００４】
前記特許文献１の乾電池ボックスによれば、電池室のスペースをある程度軽減させることができるが、乾電池ボックスに円筒型乾電池を保持する保持部材及び正極用端子、負極用端子が必要となり、機器本体における電池ボックスの占有スペースが大きく、全体として大型で、携帯に不便であり、またコストアップの原因になっている。
本発明は、前記事情に着目してなされたもので、その目的とするところは、電池ボックスが不要となり、構造が簡単で、コストダウンを図ることができると共に、小型軽量で携帯に便利な携帯電話用電源機器を提供することにある。
【課題を解決するための手段】
【０００５】
本発明は、前記目的を達成するために、請求項１は、携帯電話の端子に接続される携帯電話用電源機器において、携帯電話の端子に接続される接続端子を有する機器本体と、前記機器本体に設けられ１本もしくは複数本の円筒型乾電池の一端部が独立して装着され、該円筒型乾電池の端面の一方の電極と導通状態に接続される第１の接触端子を有した乾電池装着部と、前記乾電池装着部に設けられ、前記円筒型乾電池の外周面の絶縁膜に接触した状態で該円筒型乾電池を保持し、その外周面との摺擦によって前記絶縁膜を剥離して前記円筒型乾電池の他方の電極と導通状態に接続される第２の接触端子を有した乾電池保持部材と、を具備したことを特徴とする。
【０００６】
請求項２は、請求項１の前記乾電池装着部は、その内底部に第１の接触端子を有し、前記円筒型乾電池の端部が挿入されたとき、該円筒型乾電池の端面の陰極電極と導通状態に接続されることを特徴とする。
【０００７】
請求項３は、請求項１の前記乾電池保持部材は、前記円筒型乾電池の外周面をその外周部から把持する複数の把持片からなり、これら把持片の少なくとも一つの内面には前記円筒型乾電池の外周面の絶縁膜を剥離して陽極電極と導通状態に接続される歯付きの第２の接触端子が設けられていることを特徴とする。
【０００８】
請求項４は、請求項１の前記乾電池保持部材は、前記複数の把持片の先端側が拡開する方向に付勢されて前記円筒型乾電池の挿入ガイドを形成するテーパ筒部を有すると共に、このテーパ筒部に嵌合される締付けリングを有し、前記円筒型乾電池の挿入後は、締付けリングによって前記複数の把持片を付勢力に抗して狭窄することにより、前記円筒型乾電池を把持できることを特徴とする。
【０００９】
本発明によれば、円筒型乾電池の一端部を乾電池装着部に装着すると、円筒型乾電池の端面の陰極電極と第１の接触端子とが導通し、第２の接触端子を有した乾電池保持部材が円筒型乾電池の外周面の絶縁膜と接触する。この状態で円筒型乾電池を例えば周方向に回すと、第２の接触端子が絶縁膜と摺擦し、この絶縁膜が剥離されて円筒型乾電池の陽極電極と第２の接触端子が導通状態に接続される。
【発明の効果】
【００１０】
本発明によれば、携帯電話に外部電源を接続する必要が生じた際に、乾電池装着部に円筒型乾電池を装着し、円筒型乾電池を周方向に回すなどして絶縁膜を剥離するという簡単な操作で、円筒型乾電池を携帯電話に電気的導通状態に接続でき、使用後は円筒型乾電池を乾電池装着部から取り外すことができる。
従って、携帯電話用電源機器の機器本体には常時円筒型乾電池を収納する電池ボックスが不要となり、構造が簡単で、コストダウンを図ることができると共に、小型軽量で携帯に便利であり、携帯電話のストラップに吊下げることも可能である。
【発明を実施するための最良の形態】
【００１１】
以下、本発明の各実施の形態を図面に基づいて説明する。
【００１２】
図１及び図２は、携帯電話に内蔵された電池が消耗して通信・通話不能になった際に、携帯電話の端子に接続することにより通信・通話できる携帯電話用電源機器を示し、１１は携帯電話用電源機器の機器本体である。機器本体１１は、ケース１２が合成樹脂材料によって成形されており、その内部にはＤＣ−ＤＣ昇圧回路１３が収納されている。このＤＣ−ＤＣ昇圧回路１３はケース１２の前部から外部に突出する接続端子１４と接続され、携帯電話（図示しない）の端子に接続されるようになっている。
機器本体１１のケース１２の後部には凹陥部１５が設けられ、この凹陥部１５には複数本、本実施形態では２本の円筒型乾電池１６の一端部を独立して装着する乾電池装着部１７が設けられている。この円筒型乾電池１６は、市販の例えば、単３または単４乾電池であり、軸方向の一端面には凸部からなる陽極電極１８が、他端面には陰極電極１９が設けられている。さらに、円筒型乾電池１６の外周面は陽極電極１８と一体の導電層（陽極電極１８）に形成され、この導電層（陽極電極１８）の外装は絶縁膜２０によって覆われている。
図３〜図７にも示すように、乾電池装着部１７は円筒型乾電池１６の一端側の端部と嵌合するように電気絶縁材料からなる円筒部２１を有しており、この円筒部２１の内底部には陰極電極１９と導通状態に接続される第１の接触端子２２が設けられている。乾電池装着部１７の円筒部２１の外周部には金属等の導電材料からなる乾電池保持部材２３が嵌合して設けられている。乾電池保持部材２３は、円筒部２１に嵌合する筒部２４と、この筒部２４から一体に突出し、円筒型乾電池１６の外周面を覆う複数枚の把持片２５とから構成されている。複数枚の把持片２５は、板ばねによって形成され、先端側が拡開する方向（円筒型乾電池１６の外周面から離れる方向）に付勢されており、内側に円筒型乾電池１６の挿入ガイド２６を形成するテーパ筒部２７が形成されている。
【００１３】
さらに、複数枚の把持片２５の内面、つまり円筒型乾電池１６の外周面に対面する側には多数の鋭利突起等の歯２８が設けられ、複数枚の把持片２５は歯付きの第２の接触端子２９として形成されている。なお、複数枚の把持片２５の全てに鋭利突起等の歯２８を設ける必要はなく、互いに対向する２枚あるいは１枚でもよく、歯２８も鋸歯あるいは粗面でもよい。
【００１４】
また、テーパ筒部２７には締付けリング３０が嵌合されている。この締付けリング３０はテーパ筒部２７の軸方向に移動自在であり、把持片２５の先端側に移動させると、把持片２５をその付勢力に抗して円筒型乾電池１６の外周面側に押付け、テーパ筒部２７を狭窄できるようになっている。締付けリング３０にはピン３１を介して操作摘み３２が設けられ、ピン３１はケース１２に上下面に設けられた長孔３３に挿通されている。従って、操作摘み３２に手指を掛け、締付けリング３０をテーパ筒部２７の軸方向に移動できるようになっている。
【００１５】
次に、携帯電話用電源機器の作用について説明する。
通常は、機器本体１１の乾電池装着部１７には円筒型乾電池１６が装着されていない。従って、円筒型乾電池１６の体積及び重量は含まないため、小型軽量で、携帯に便利であり、携帯電話のストラップに吊下げて携帯することも可能である。
【００１６】
携帯電話に内蔵された電池が消耗して通信・通話不能になった際には、携帯電話の端子に機器本体１１の接続端子１４を接続し、携帯電話用電源機器を外部電源として使用できる。このとき、まず、２本の円筒型乾電池１６の一端部（陰極電極１９側）を挿入ガイド２６の内面をガイドとしてそれぞれ乾電池装着部１７に挿入すると、陰極電極１９が第１の接触端子２２に接触して導通状態となり、第２の接触端子２９が円筒型乾電池１６の外周面に対向する。しかし、円筒型乾電池１６の外周面は絶縁膜２０によって覆われているため、第２の接触端子２９は陽極電極１８と非接触状態にある。
次に、操作摘み３２に手指を掛け、締付けリング３０をテーパ筒部２７の先端側、つまり、複数枚の把持片２５の先端側へ移動させると、各把持片２５はその付勢力に抗して狭窄され、歯２８が円筒型乾電池１６の外周面側に押付けられる。この状態で、円筒型乾電池１６を手指で摘み、その周方向に回すと、歯２８が円筒型乾電池１６の外周面を摺擦し、絶縁膜２０は歯２８によって剥離され、複数枚の把持片２５からなる第２の接触端子２９は円筒型乾電池１６の外周面の陽極電極１８と接触して電気的に導通状態となる。
従って、円筒型乾電池１６の陰極電極１９は第１の接触端子２２と接触し、陽極電極１８は第２の接触端子２９と接触し、円筒型乾電池１６はＤＣ−ＤＣ昇圧回路１３を介して接続端子１４と電気的に導通状態となり、接続端子１４を携帯電話の端子に接続することにより、携帯電話用電源機器を外部電源として使用できる。
このように、本発明の携帯電話用電源機器は、携帯電話の外部電源として使用するときに、機器本体１１に円筒型乾電池１６を装着すればよく、通常携帯の際には機器本体１１のみを携帯すればよく、小型・軽量で持ち運びしやすいという利点がある。
なお、前記実施形態においては、単３、単４の乾電池について説明したが、市販されている単１〜単６の乾電池においても適用できる。また、乾電池の接続は、直列、並列のいずれでもよい。さらに、ＤＣ−ＤＣ昇圧回路を内蔵したが、乾電池によってはＤＣ−ＤＣ降圧回路を内蔵よく、またはこれらを介さないで直接電池電圧を出力してもよい。
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００１７】
【図１】この発明の第１の実施形態を示す携帯電話用電源機器の斜視図。
【図２】同実施形態の携帯電話用電源機器の側面図。
【図３】同実施形態の乾電池装着部の縦断側面図。
【図４】同実施形態の乾電池装着部の縦断側面図。
【図５】同実施形態を示し、図３のＡ−Ａ線に沿う断面図。
【図６】同実施形態を示し、図４のＢ−Ｂ線に沿う断面図。
【図７】同実施形態を示し、図６のＣ部を拡大した断面図。
【符号の説明】
【００１８】
１１…機器本体、１４…接続端子、１６…円筒型乾電池、１７…電池装着部、１８…陽極電極、１９…陰極電極、２０…絶縁膜、２２…第１の接触端子、２３…乾電池保持部材、２５…把持片、２６…挿入ガイド、２７…テーパ筒部、２８…歯、２９…第２の接触端子、３０…締付けリング
【図１】
2007227015.tif 000003
【図２】
2007227015.tif 000004
【図３】
2007227015.tif 000005
【図４】
2007227015.tif 000006
【図５】
2007227015.tif 000007
【図６】
2007227015.tif 000008
【図７】
2007227015.tif 000009